Podtech/llm-jp-corpus-v4-ja_patent huggingface dataset:
(57)【要約】      （修正有）【課題】歯間部の食物残渣や歯垢などを手軽に効率よく除去し、しかも歯周病菌も同時に殺菌することができる歯間清掃具を提供する。【解決手段】ステンレス鋼線に硬質銅の極細繊維を撚って巻きつけ、爪楊枝状に形成し巻きつけた銅繊維の微小な段差で歯間部の食物残渣や歯垢などを清掃除去し。また、銅繊維が接することによって、その電位差で歯周病菌を殺菌し、口腔内を清潔に保つことができる。【選択図】図１
2011062415.tif 000002
【特許請求の範囲】
【請求項１】
ステンレス鋼線を芯にして銅繊維を螺旋状に巻きつけて形成した口腔内洗浄殺菌用具。
【発明の詳細な説明】
【技術分野】
【０００１】
この発明は銅の殺菌作用に注目し  硬質銅の極細繊維が口腔内細菌に接触することにより  その微弱な電位差と流出するイオンで分解、殺菌させ歯の健全な保持と健康に資する分野に属するものである。
【背景技術】
【０００２】
従来の技術は  歯間清掃具として爪楊枝、歯間ブラシ、デンタルフロス、糸楊枝などが知られている。しかしどれもそれ自体に殺菌効果はもとめることは出来ない。  また  各種はみがき剤による薬効で、歯のしみや痛みを防ぐ方法、フッ素による歯質強化で虫歯の発生進行を予防、薬剤による殺菌効果で歯肉炎による歯茎のはれ、出血の予防等の薬用作用と各種ブラシ（電動式・音波式）が用いられているが、現状多数の人々が歯を失う現状からみて上記対応では健康保持上からも明らかに不十分な状況である。
【先行技術文献】
【特許文献】
【０００３】
【特許文献１】特開平１０−５２５１号公報    上記発明では、殺菌剤若しくは研磨剤を含むインクを、塗布又は印刷することにより    形成されていることを必要としているので、普通の木製爪楊枝に同じく殺菌剤、研磨剤をつけても同じである、常に殺菌剤、研磨剤の補充が必要である。
【特許文献２】特開平１１−１８８０５０    上記発明は安価な歯間清掃具であり、それ自体が殺菌効果を発揮するものではない、
【発明の概要】
【発明が解決しようとする課題】
【０００４】
従来の技術の歯間ブラシや爪楊枝では充分な洗浄効果、特に殺菌効果は望めなかった。またマウスウォッシュ等の口腔内洗浄剤の薬効成分の濃度は低く抑えられ、たとえばクロルヘキジンなどは規制で濃度が押えられていて確実に効果を発揮できず、また濃度を上げると副作用として着色や一過性の味覚障害、舌の痺れ、酸味感、場合によってはアナフィラキシーショックのような重大な副作用を引き起こす場合もある。
【０００５】
銅及び銅イオン自体は人間の健康に必要なものであり毒性がなく、銅自体の殺菌作用は広く知られているところであり  硬質銅の極細繊維を利用することにより効果を上げられる。
【０００６】
口腔内に無数に存在するバクテリアやウィルスを硬質銅の極細繊維と接触することによる電位差で分解死滅させ、また従来の薬効成分と併用することにより効果を高めて安全に虫歯や各種病害要因を除去し、歯周病を防止、改善する事に効果的である。
【課題を解決するための手段】
【０００７】
請求項１記載の歯間洗浄器具は硬質銅の極細繊維を撚り合わせて医療用硬質ステンレス鋼線に巻きつけたことを特徴とする。
【０００８】
撚り合わされた硬質銅の極細繊維はテーパー状に巻きつけられ歯間、歯茎や歯周ポケット等の歯周病菌の存在する患部に接するように使用されることで歯周病菌を殺菌する。
【０００９】
巻きつけられた銅繊維の表面の段差で歯と歯肉に付いた汚れをこすり落とす、また使用時に口腔洗浄剤を併用することでより効果を発揮する。
【００１０】
本考案の硬質銅の極細繊維としては20ミクロンから１００ミクロンの直径のもので、『カプロン  株式会社エスコ製品』として商品化されているものを一例として上げられる。
【発明の効果】
【００１１】
第１図の１-１に示すように  銅繊維が歯周病菌に接触することで微弱な電位差を生じて殺菌する。
【００１２】
通常歯垢（プラーク）の残存は局所的な歯周病を発生する。また歯垢はその８０％以上が細菌などの微生物であり、その細菌が産出した酵素は歯周組織に炎症、つまり歯周炎を発生させる。
【００１３】
歯垢が石灰化した歯石も多量の毒素を含んでいるので、歯石の沈着などで炎症がさらに悪化し、歯周ポケットができ歯槽骨が吸収し歯周病へと進行する。
【００１４】
従って、この発明を使用することにより歯表面及び歯周ポケット内の細菌の発生・育成を根本的に阻止するので、きわめて良好な歯及び歯肉の状態を保つことができる。
【００１５】
銅繊維から流出するイオン化した銅はそれ自体でも殺菌効果があり  容易にアンモニアと結びつくことにより消臭効果も発揮する。
【００１６】
銅繊維による殺菌効果として、口腔内の衛生環境を良好に維持する効果をもたらす。
【００１７】
このような歯の健康はひいては身体全体への健康をもたらす基本要素であることが最も大切な本発明の効果といえる。
【図面の簡単な説明】
【００１８】
【図１】本発明の一例を示す説明として図１−１は拡大した断面であり、直径１ｍｍのステンレス鋼線の周りに直径０．０４ｍｍの硬質銅の繊維を２本撚り合わせた繊維を巻きつけた状態である。
【００１９】
図１-２は直径０．０４ｍｍの硬質銅の繊維を２本撚り合わせた繊維を巻きつける回数を増やして全体を楔状態に整形した形態を示す
図１−３は歯間及び歯肉に使用している状態を示す
【発明を実施するための形態】
【００２０】
硬質銅の極細繊維をステンレス鋼線に巻きつけ歯間ブラシ及び爪楊枝として歯周病菌の患部、歯周ポケットに到達できるような形状の口腔内洗浄殺菌用具である
【実施例】
【００２１】
次に本発明の実施例として図面１-１（１）は40ミクロンのカプロン（硬質銅の極細繊維）で、これを２本撚り合わせて先を丸く加工した（２）の直径１ｍｍステンレス鋼線に連続して接しない様に巻きつけて行く。
【００２２】
巻きつけられる銅繊維は先から巻く回数を調整することで、図面１-２のように根元に行くほど太くなるように整形し、この先端器具を（３）のプラスティックの柄に樹脂等で固定して歯間ブラシ、爪楊枝として使用する。
【００２３】
使用に当たっては図１-３のように、通常の歯ブラシの後で水及び口腔洗浄液等を少量口腔内に含んでこの先端器具を歯間及び歯周ポケットに差し込み汚れと細菌をこそげ落とすように前後に動かし、銅繊維の極細繊維（１）が歯周病菌に接することにより殺菌、洗浄することが出来る。
【００２４】
この用具で歯、歯肉、舌等の口腔内全体に満遍なく接触し、清掃することで  歯周病の原因菌以外に舌の部分の臭いの元となる舌苔の除去の一助としても使え  口臭を防ぐことも出来る、口腔内を清潔に保つことが出来る。
【産業上の利用可能性】
【００２５】
銅繊維による殺菌効果は薬剤アレルギーなどで、殺菌剤を使えない場合の治療にも役立てられ、歯科治療の現場での器具にも応用可能であり、義歯等の殺菌にも効果を発揮できるものである。
【００２６】
老人施設や介護の現場で歯磨き等の口腔内洗浄が困難な事例においても健康を維持するための用具としてその効果を発揮するものである。
【符号の説明】
【００２７】
１  直径４０ミクロンの硬質銅の極細繊維
２  直径１ｍｍのステンレス鋼線
３  プラスティック等の柄  
【図１】
2011062415.tif 000003
(57)【要約】【課題】  本発明は、換気を促進させる構造により、濡れた足拭きマットを敷いたままの状態で自然乾燥させるマット台を得ることにある。【解決手段】  空気が通るメッシュや格子状の反り構造を持った弾力のある板をマット台として設け、板の反り軸と並行する片側の端にはマット台滑り止めゴムを設けることで自然乾燥式マット台を構成している。  反っている板の谷側を下向きに床に置き、山側に足拭きマットを載せた状態が、待機兼乾燥状態である。  使用時は、上からマットに乗ることにより、体重で板の反りが潰れて、床に接触し、安定した状態になり、通常通りの足拭きマットとして機能する。【選択図】      図５
2011062267.tif 000002
【特許請求の範囲】
【請求項１】
換気を促進させるための空気が通るメッシュや格子状の反り構造を持った弾力のある板をマット台として設け、板の反り軸と並行する片側の端には滑り止めのゴムを設ける。  反っている板の山側面に、足拭きマットを載せる構成よりなる自然乾燥式マット台。
【発明の詳細な説明】
【技術分野】
【０００１】
本発明は、換気を促進させる構造により、濡れた足拭きマットを敷いた状態のままで、自然乾燥させるマット台に関する。
【背景技術】
【０００２】
一般的な家庭において、お風呂の足拭きマットは複数人で使用するため、最初の人以降は濡れていた。  また、使用する時間帯にはばらつきがあるため、濡れたマットを干すタイミングが見つからなかった。
【０００３】
そのため、足拭きマットが濡れた状態で、長時間敷かれたままになることも珍しくなかった。  その結果、足拭きマットが乾かないだけでなく、湿気で床が傷んだり、カビが発生するなどの問題があった。
【先行技術文献】
【特許文献】
【０００４】
【特許文献１】特開２００６−２２３６３７号公報
【特許文献２】特開２００３−１００３１号公報
【非特許文献】
【０００５】
【非特許文献１】実用新案登録第３１３９８９９号公報
【発明の概要】
【発明が解決しようとする課題】
【０００６】
濡れた足拭きマットを干すタイミングがない。
【０００７】
濡れた足拭きマットは、床に接し、換気できないため乾かない。
【０００８】
足拭きマットが、濡れたままの状態で床に接しているため、湿気で床が傷む。
【０００９】
足拭きマットが、濡れたままの状態で床に接しているため、湿気でカビ等が発生するなど衛生的でない。
【００１０】
２番目以降の使用者は、濡れた状態のマットを使用することになる。
本発明は、以上のような従来の欠点に鑑み、換気を促進させる構造により、濡れた足拭きマットを敷いたままの状態で自然乾燥させると共に、湿気で床が傷むことも防止するマット台を提供する事を目的としている。
【課題を解決するための手段】
【００１１】
上記目的を達成するために、本発明は、空気が通るメッシュや格子状の反り構造を持った弾力のある板を設け、板の反り軸と並行する片側の端には滑り止めのゴムを設けることで自然乾燥式マット台を構成している。  反っている板の谷側を下向きに床に置き、反っている板の山側面に、足拭きマットを載せることでマットと床の間に換気用の空間が保たれる。これにより足拭きマットの自然乾燥を促進する。
【発明の効果】
【００１２】
以上の説明から明らかなように、本発明にあっては次に列挙する効果が得られる。
（１）足拭きマットを敷いたでも床との間に空間が保たれ、乾燥を促進することが可能である。
【００１３】
（２）足拭きマットを使用していない時間は、全て干している時間になる。
【００１４】
（３）濡れた足拭きマットが床と接しないため、床を傷めない。
【００１５】
（４）足拭きマット下の床も換気され、乾いた状態を保つことが可能である。
【００１６】
（５）足拭きマットを敷いたり、干したりする行為をする必要がなくなる。
【００１７】
（６）足拭きマットおよび床が自然に乾燥されるため、衛生的である。
【図面の簡単な説明】
【００１８】
【図１】本発明の斜視図である。
【図２】本発明の左側面図である。
【図３】図２のＡ部拡大図である。
【図４】図１で示す反り形マット台と同等機能を有したマット台の背面図である。
【図５】本発明の待機兼乾燥時のマット台の状態図である。
【図６】本発明の使用時のマット台の状態図である。
【発明を実施するための形態】
【００１９】
以下、本発明の実施の形態を図１、図２、図３、図４に基づいて説明する。
空気が通るメッシュや格子状の構造を持った弾力のある反り形マット台１、または同等機能を有したマット台を設け、マット台の反り軸と並行する片側の端にはマット台滑り止めゴム２を設ける。  反りの山側を足拭きマット載せ面３とする。  本発明は、以上のような構造である。  先の同等機能を有したマット台の例として、図４に示すような、弾力のある板４を伸縮性のある引っ張り用ゴムベルト５で反らしたものなどがある。
【実施例１】
【００２０】
以下、本発明の実施の方法を説明する。
反り形マット台１の反りの谷側を下向きに床に置き、足拭きマット載せ面３に足拭きマット６を載せると、図５に示すような、待機兼乾燥状態になる。  反り形マット台１により、足拭きマット６は床から離れた状態を維持し、反りによって出来た空間により、矢印に示すように自然換気および乾燥が促進される。  使用時は、図６の足７で示すように、足拭きマット６に乗ることにより、体重で、反り形マット台１がマット台滑り止めゴム２を支点として水平方向に伸びながら垂直方向に潰れる。  反り形マット台１の全面が床に接触し、安定して足拭きマットとしての機能を発揮する。  足拭きマット６から降りると、反り形マット台１は反り上がり、再び図５に示すような待機兼乾燥状態になる。  特別な動作を追加することなく、足拭きおよびマット乾燥を行うことが可能である。
【産業上の利用可能性】
【００２１】
本発明は、足拭きマットを乾燥させる分野において利用される。
【符号の説明】
【００２２】
１  反り形マット台
２  マット台滑り止めゴム
３  足拭きマット載せ面
４  弾力のある板
５  引っ張り用ゴムベルト
６  足拭きマット
７  足
【図１】
2011062267.tif 000003
【図２】
2011062267.tif 000004
【図３】
2011062267.tif 000005
【図４】
2011062267.tif 000006
【図５】
2011062267.tif 000007
【図６】
2011062267.tif 000008
(57)【要約】【課題】稲作において農薬等を使用せずに栽培する場合の水田内の雑草の発生防止、除去に要する労力を如何にして軽減するか。【解決手段】雑草の発生防止用攪拌機を装備した小型のエアーボートをコンピュータで制御し、障害物（稲）を避けて水田内を自由に、くまなく移動することによって、雑草の発生を防止する。障害物（稲）の認識には、ＣＣＤを使用した画像認識または、レーダーのような電波探知機を使用する。水田内をくまなく移動する為に、障害物（稲）の情報にジャイロセンサーからの位置情報を付加したデータをメモリー上にマップとして記録し、走行箇所、未走行箇所を判別する。作業時間の短縮には、複数のロボットを稼働させ、お互いが無線ＬＡＮで情報を共有することにより、作業を分担する。【選択図】図１
2011205967.tif 000002
【特許請求の範囲】
【請求項１】
雑草の発生防止用攪拌機を装備した小型のエアーボートを各種モーター、センサーをコンピュータで制御し、障害物（稲）を避けて水田内を自由に、くまなく移動することにより水田内の雑草の発生を防止するロボット。
【発明の詳細な説明】
【技術分野】
【０００１】
水田における雑草の発生を防止する自走式のロボットに関するものである。
【背景技術】
【０００２】
携帯電話、二足歩行ロボット等、昨今のコンピュータ等の目覚ましい技術の進歩、小型化により、各種モーターを制御し、画像認識もしくは電波探知機等で障害物（稲）を避けて水田内を自由に移動する、合鴨のようなロボットが作成可能になってきた。
【先行技術文献】
【特許文献】
【０００３】
【特許文献１】特開２００７−１２９９１０号公報
【発明の概要】
【発明が解決しようとする課題】
【０００４】
近年、食の安全、自然食等がクローズアップされる中、稲作においても農薬等を使用せずに栽培する必要が生じてきた。しかし、これは農業従事者に重労働を課すことになりがちである。特に水田内の雑草の発生を防止、除去するのは容易ではない。この、雑草の発生防止、除去に要する労力を如何に軽減するかということである。
【課題を解決するための手段】
【０００５】
雑草の発生防止用攪拌機を装備した小型のエアーボートをコンピュータで制御し、障害物（稲）を避けて水田内を自由に、くまなく移動することによって、雑草の発生を防止する。
【０００６】
ＣＣＤを装備し、画像認識（または、レーダーのような電波探知機）によって障害物（稲）を認識し、ジャイロセンサーからの位置情報を付加したデータをメモリー上にマップとして記録し、水田内の走行箇所、未走行箇所を判別することにより、水田内をくまなく移動する。
【０００７】
複数のロボットを稼働させた場合は、お互いが無線ＬＡＮで情報を共有し、作業を分担することにより作業時間を短縮させることができる。
【０００８】
動力源には小型の充電式バッテリーを使用し、装備した太陽電池パネルで充電しながら作動させることにより、長時間稼働させることができる。
【図面の簡単な説明】
【０００９】
【図１】図１は水田における雑草の発生防止用ロボットの外観図である。
【符号の説明】
【００１０】
１    前進、後退、方向変更用プロペラ
２    プロペラの向きを変えて進行方向を変更する為の支柱
３    障害物（稲）等を認識する為のCCDカメラ、又は、電波探知機
４    無線ＬＡＮ用のアンテナ
５    バッテリー充電用太陽電池パネル
６    雑草の発生防止用攪拌機
【図１】
2011205967.tif 000003
(57)【要約】      （修正有）【課題】大きな操作力を必要としないでバックドアを開閉操作できるように、操作者のバックドアの開閉操作をアシストするバックドアの開閉装置を提供する。【解決手段】バックドア１の開閉操作を全て電動で行うのではなく、操作者の開閉操作をアシストするものであって、操作者がバックドア１を操作するときに、閉用ハンドル４の引き量を検出して、その引き量に応じてモータにより閉操作に必要な操作力の一部をアシストするものであり、大きな操作力を必要としないで閉操作を行える車両用バックドアの開閉装置。【選択図】図２
2011026941.tif 000002
【特許請求の範囲】
【請求項１】
車両本体の後面に設置され開閉可能なバックドアと、前記バックドアに対し開閉方向に駆動力を伝達可能なモータと、前記モータの駆動を制御する制御手段と、前記バックドアの閉操作を行う閉用ハンドルに組み込まれ操作者の操作力を検出するスイッチを備え、
前記バックドアの閉操作を開始してから半開状態になるまでの範囲において、前記スイッチで検出した操作者の操作力に応じて、前記モータを駆動させて操作者の閉操作をアシストすることを特徴とする車両用バックドアの開閉装置。
【発明の詳細な説明】
【技術分野】
【０００１】
本発明は、車両本体の後部に装着された跳ね上げ式のバックドアの開閉装置に関するものである。
【背景技術】
【０００２】
従来、車両のバックドアの開閉を容易に行えるようするために、例えば実開昭５９−９６２７５号に記載されている開閉装置のように、バックドアに対してモータの駆動力を伝達して自動的に開閉できるようにしたものが知られている。
【先行技術文献】
【特許文献】
【０００３】
【特許文献１】実開昭５９−９６２７５号公報
【発明の概要】
【発明が解決しようとする課題】
【０００４】
上述した開閉装置は、バックドアの開閉に人の操作力を不要とすることができるが、開閉動作を全て電動で行うため、開閉操作に時間がかかり使い勝手が良くなかった。また、大型であるバックドアをモータの駆動力によって開閉させるため、大出力のモータが必要となり、装置が大型化するという問題があった。
【０００５】
本発明は、上述した課題を解決するためになされたものであり、バックドアの開閉操作を全て電動で行うのではなく、操作者の開閉操作をアシストするバックドアの開閉装置を提供することを目的とする。
【課題を解決するための手段】
【０００６】
上記課題を解決するために、請求項１に記載の車両用バックドアの開閉装置は、車両本体の後面に設置され開閉可能なバックドアと、前記バックドアに対し開閉方向に駆動力を伝達可能なモータと、前記モータの駆動を制御する制御手段と、前記バックドアの閉操作を行う閉用ハンドルに組み込まれ操作者の操作力を検出するスイッチを備え、前記バックドアの閉操作を開始してから半開状態になるまでの範囲において、前記スイッチで検出した操作者の操作力に応じて、前記モータを駆動させて操作者の閉操作をアシストするようにしたことを特徴とする。
【発明の効果】
【０００７】
請求項１の車両用バックドアの開閉装置は、閉用ハンドル４の引き量（操作力）を検出して、モータ６により閉操作に必要な操作力の一部をアシストするものであり、またモータ６が閉操作をアシストするのがバックドアの半開状態まであるため、閉操作を全て電動で行うものよりも操作にかかる時間を短くすることができる。さらに、大出力のモータを必要とせず小出力のモータを設ければよいため、装置を小型化することができる。
【図面の簡単な説明】
【０００８】
【図１】バックドアが閉状態の車両斜視図
【図２】バックドアが開状態の車両斜視図
【図３】モータ駆動のタイムミングチャート
【発明を実施するための最良の形態】
【０００９】
本発明の一実施形態である車両用バックドアの開閉装置について図１から図３を参照して説明する。
【００１０】
車両用バックドア１の外側面には、図１に示すように、開操作を行うための開用ハンドル２が設けられ、この開用ハンドル２にはリニアスイッチ３が組み込まれている。バックドア１の内側面には、図２に示すように、閉操作を行うための閉用ハンドル４が設けられ、この閉用ハンドル４にはリニアスイッチ５が組み込まれている。また、バックドア１には、バックドア１に対し開閉方向に駆動力を伝達可能なモータ６（図示なし）が設けられている。
【００１１】
リニアスイッチ３は、操作者が開用ハンドル２を引きバックドア１を開操作するとき、開用ハンドル２を引く量（操作力）を検出する。リニアスイッチ３が検出した開用ハンドル２の引き量に応じて、モータ６の駆動を制御する制御装置７（図示なし）がモータ６を駆動させ、バックドア１に対し開方向に駆動力を伝達させて、操作者の開操作をアシストすることとなる。
【００１２】
モータ６は、図３に示すように、操作者がバックドア１を開操作して開用ハンドル２の引き量が所定の閾値を超えたとき、駆動が開始されて開操作をアシストし、一定時間が経過するとＰＷＭ駆動して開操作をアシストする。その後、バックドア１が半開状態まで開かれたとき、モータ６の駆動が停止される。
【００１３】
リニアスイッチ５も同様に、操作者が閉用ハンドル４を引きバックドア１を閉操作するとき、閉用ハンドル４の引く量を検出する。リニアスイッチ５が検出した引き量に応じて、モータ６の駆動を制御する制御装置７がモータ６を駆動させ、バックドア１に対して閉方向に駆動力を伝達させて、操作者の閉操作をアシストする。
【００１４】
操作者がバックドア１を閉操作して、閉用ハンドル２の引き量が所定の閾値を超えたとき、駆動が開始されて閉操作をアシストし、一定時間が経過するとＰＷＭ駆動して閉操作をアシストし、その後バックドア１が半開状態まで閉められたとき、モータ６の駆動が停止される。
【００１５】
以上のように、本発明の車両用バックドアの開閉装置は、開用ハンドル２及び閉用ハンドル４の引き量を検出して、モータ６により開閉操作に必要な操作力の一部をアシストするものであり、またモータ６が開閉操作をアシストするのがバックドアの半開状態まであるため、閉操作を全て電動で行うものよりも操作にかかる時間を短くすることができる。さらに、大出力のモータを必要とせず小出力のモータを設ければよいため、装置を小型化することができる。
【符号の説明】
【００１６】
１    バックドア
２    開用ハンドル
３    リニアスイッチ
４    閉用ハンドル
５    リニアスイッチ
６    モータ
【図１】
2011026941.tif 000003
【図２】
2011026941.tif 000004
【図３】
2011026941.tif 000005
(57)【要約】      （修正有）【課題】屋上屋根の断熱法である緑化に比べ、施工が簡単であり、施設したあとの手間が掛からなく、また廃棄処理作業が簡単な、屋上屋根の断熱器具を提供する。【解決手段】断熱器具として、木質の繊維などの高性能な断熱素材１を、底面の面積が１ｍ２前後、深さが１０ｃｍから１５ｃｍ、形状は、方形・円形等、から適宜選択されてなる、金属やプラスチックの容器２に、密封缶詰めする。この断熱器具を、屋上に適宜配置することで、施工が簡単で、施設したあとの手間が掛からない、緑化に相当する断熱機能が得られる。【選択図】図１
2011026928.tif 000002
【特許請求の範囲】
【請求項１】
断熱素材を密封缶詰めした断熱器具。
【請求項２】
断熱器に封入する断熱素材は木質繊維を利用する。
【発明の詳細な説明】
【技術分野】
【０００１】本発明は、主として屋上屋根に使用する断熱器具に関する。
【背景技術】
【０００２】地球温暖化対策の一環として、屋上緑化が推進されている。
【発明の開示】
【発明が解決しようとする課題】
【０００３】屋上を緑化することによる断熱効果は高いが、短所も多い。短所の第一は、施設が大掛かりとなり、高いコストを伴うこと。第二は、緑化植物の水遣りや施肥、枯葉の掃除など、施設の維持に手間を要すること。短所の第三は、強風で植物や培土の飛散を防ぐ処置が必要となること等である。
【課題を解決するための手段】
【０００４】これを解決する為、請求項１の断熱素材を金属やプラスチックの容器に、密封缶詰めした断熱器具を発明した。断熱素材には、木質繊維、ロックウール、ガラス繊維やウレタンフォーム等多種あり、利用できる。これらの一種を缶詰めし、取り扱いに便利で、風雨に耐える器具に製作する。【０００５】課題を解決する請求項２の発明は、断熱素材に木質繊維（株式会社  木の繊維、製造）を利用することである。木質繊維は他の素材に比べ、熱伝導率はほぼ同等である（０．０３８ｗ／ｍ・ｋ）が、熱容量が高い。箱の中に断熱材を敷き、電球を点け、断熱材下の温度を測定した処、実験開始後１０分で、鉱物繊維系の断熱素材は、温度が７℃上昇した。一方の木質繊維断熱素材は、温度が０．３℃の上昇にとどまった。電球を消すと、鉱物系の断熱素材では温度が急降下するが、木質系は殆ど変化しない。木質系は熱容量が高く、熱を素材内に貯めこむからである。
【発明の効果】
【０００６】本発明による屋上屋根の断熱方法は、緑化法に比べ多くの利点をもたらす。第一は、施工が簡単であること。即ち、器具を屋上に適宜に並べておくだけでよい。第二に、緑化による断熱に比べ、施設したあとの手間がかからない。第三のメリットは、器具の移動や撤去が容易であり、廃棄処理が必要となったときも、作業は簡単である。
【発明を実施するための最良の状態】
【０００７】本発明に利用する缶は、底面積が１ｍ２前後（図２）、深さが１０ｃｍから１５ｃｍあればよい。缶の底面の形状は、方形・円形等、適宜選択する。
【産業上の利用可能性】
【０００８】本発明になる断熱器具は、構造が簡単であり、断熱素材も既に流通しているものを利用でき、産業上の利用性が高い。しかも屋上の断熱は一部の自治体では、実施を義務付けたり支援を行ったりしており、今後需要は拡大する。
【図面の簡単な説明】
【０００９】
【図１】断熱器具の断面図である。
【図２】断熱器具の斜視図。
【符号の説明】
【００１０】１  断熱素材
２  容器
【図１】
2011026928.tif 000003
【図２】
2011026928.tif 000004
(57)【要約】【課題】螺旋階段をモジュール化し、組立施工の効率を図る。【解決手段】筒状化の螺旋階段のモジュールを順次に固設連結して成る組立螺旋階段。【選択図】図２
2011026929.tif 000002
【特許請求の範囲】
【請求項１】
螺旋状配置の階段をモジュール化し、筒状化成形を順次に固設連結してなる組立を可能とした建造を特徴とする組立螺旋階段。
【請求項２】
上記のシステムは、複数段の連続鋼板カットに複数配置の縦帯、横帯状を有して成る連続一体構成を特徴とする組立螺旋階段。
【請求項３】
上記の構造は、外枠、内枠の支柱周壁を等間隔の構造配設システムを特徴とした組立螺旋階段。
【請求項４】
請求項１から３を含み、階段モジュールを段ごとに繋ぎ材で固定、脱着形成が自在に取り付け固定することを特徴とした。本発明の趣旨構造を逸脱しない範囲の設計変更は本発明に含まれる。
【請求項５】
上記において、建物の屋外、屋内に固定を有する螺旋階段、点検階段、又は、移動を有する仮設設置に要する足場、地下の工事現場等、多目的なパフオマンスを特徴とした組立モジュール式螺旋階段。
【発明の詳細な説明】
【技術分野】
【０００１】本発明は、組立モジュール螺旋階段を屋外，屋内に設置可能とした、多用性に構築される組立螺旋階段を提供する。【０００２】本発明は、組立、解体作業を容易可能とすることから、建設現場や工事現場、高所、地下作業や仮設枠組み足場の併用を提供する。【０００３】本発明の組立モジュール螺旋階段は、固定設置、仮設設置の施工効率に関する。
【背景技術】
【０００４】従来、建物の内外は、階段の設置でもって通路として利用している。しかし、仮設足場は、一体的な組立をしており、組立後の状態で移動はできない現状にある。【０００５】上記背景には、鉄砲階段，折れ階段で一体的に構築されている。【０００６】建設作業工程において、階段の設置前は、梯子や脚立で作業進行をしているが、安定感がなく，転倒、転落防止からも、仮設的階段の使用が望ましい。【０００７】上記により、組立、解体を含め施工期間の短期間、長期間においても、建設現場にて容易に構造物の構築ができる作業構造の構築が急務である。【０００８】従来、足場のスペースが狭く足場上での作業能率に支障があり、転落防止のため手すりの設置をなされている。
【発明の開示】
【発明が解決しようとする課題】
【０００９】上記の問題を鑑みて、本発明の、組立モジュール式螺旋階段の有効性をもって問題解決を図る。【００１０】本発明は、螺旋階段を筒状化としたことによって構築物のスペースを割いた設置可能ができることで問題解決を図る。【００１１】従って、本発明においての建物の屋内、屋外の固定階段、仮設階段を組立モジュール式螺旋階段で設置することで、その提供を目的とする。
【課題を解決するための手段】
【００１２】本発明は、上記課題を達成するため、螺旋状配置の階段を筒状化にモジュール化をし，固設連結してなる組立の連続一体構成を特徴とする。【００１３】本発明は、階段モジュールを積み上げ、連結技術で螺旋階段を構築することで作業能率がはかられ、階段モジュールを積むことで高低調整を可能とする。
【発明の効果】
【００１４】本発明による螺旋階段は、上下の構築物から形成され狭いスペースの設置を可能とすることから作業効率が高められる。施工期間の短縮から低価格の処理費用で済む。【００１５】このように作業が容易であり、仮設階段は、組立後も容易な移動を可能とし、従来の単一、複雑になす作業を効果的に発揮される。【００１６】本発明の特徴は，多目的なパフオマンスを特徴とした組立モジュール式螺旋階段を特徴とする。【００１７】本発明は、作業の安全性、作業効率の向上、量産効果の向上がはかられ経済的である。
【発明を実施するための最良の形態】
【００１８】本発明の実施形態の構成は本実施形態に限定されるものではなく要旨の逸脱しない範囲の設計変更は本発明に含む。【００１９】上記実施形態については、例えばボルト固定を溶接固定の範囲の設計製造を述べている。【００２０】請求項１記載の発明では、短期間で筒状化に配した螺旋状配置の階段をモジュール化し、固設連結の組立螺旋階段が製造される。【００２１】請求項２から５記載の本発明の構成方法は、作業が安全に効率よくでき，工期も短縮ができ経済的であることを特徴とする。
【産業上の利用可能性】
【００２２】本発明は、建物組立モジュール式螺旋階段の施工の効率が図れる。コスト的な面、しかも、簡易に改善できることは産業上の無駄がない。【００２３】建設現場や高所作業の足場、地下の工事等での仮設組立モジュール式螺旋階段を提供する。
【図面の簡単な説明】
【００２４】
【図１】階段モジュールの全体を示す正面図
【図２】階段モジュールの単体を示す平面図
【図３】螺旋型階段を示す平面図
【符号の説明】
【００２５】１、螺旋階段
２、モジュール構造物
３、内枠
４、外枠
５、支柱
６、段板
７、外側脚柱
８、内側脚柱
【図１】
2011026929.tif 000003
【図２】
2011026929.tif 000004
【図３】
2011026929.tif 000005
(57)【要約】      （修正有）【課題】作業対象物の付着による作業性の損失と、刃体に清水や油脂類又は剥離剤等を塗布する時間的損失の双方を最小にし、作業性の向上をもたらし、又は薬剤の土壌への混入作業においても飛散・吸い込みといった弊害を防止し、人体への付着に対しても抑制効果をもたらす。【解決手段】空洞になったスコップ類棹部中に、清水・油脂類・用材類の貯蔵タンク・チャンバータンク・噴射機能等を内蔵させると共に、取っ手部に加圧又は弁開閉装置を設置することで、通常の作業を行いながら、メンテナンス的作業・補足的作業・補助的作業を同時に行うことが出来る。【選択図】図１
2011026927.tif 000002
【特許請求の範囲】
【請求項１】
刃先及び刃身全域に、清水・油脂類・液状剥離剤を、本体棹中に設けた貯留タンクより、刃部上端に設けた噴出孔を介して噴射・塗布することで、作業性を向上させ、スコップ本体の損傷を防御し、又は、土壌或いは材料に清水又は溶液状の薬剤等を混入させることが容易に又安全にできることを特徴としたスコップ類。
【発明の詳細な説明】
【技術分野】
【０００１】  本発明は、刃体表面に潤滑材を噴射・塗布する機能を内蔵するスコップ・シャベル・レーキに関する。
【背景技術】
【０００２】  スコップ・シャベル・レーキ（以下、スコップ等と表示する）は、建設・建築作業や農業・園芸作業において、土壌を掘削したり、掘削した土砂等を掬い、運搬設備に積み込む、といった作業の他、舗装工事においてはアスファルト合材の敷き均しや、生コンクリートの打ち込み・敷き均し作業、左官作業における壁材の練りこみ・小分け・運搬作業等々に広く使用されている。
【発明の概要】
【発明が解決しようとする課題】
【０００３】  こういった作業において、スコップ等は、その作業対象物と密着し、対象物が刃体等に付着するため、多くの場合、清水や油脂類又は剥離溶剤等をその刃体等に塗布し、作業対象物の付着を防止する作業を伴いながら行うことが多い。特にアスファルト合材のような高熱・高粘着性、尚且つ単位質量の大きいものを扱う場合、一作業毎に刃体等に油脂類を塗布する必要があり、作業性が著しく損なわれる。また、農業・園芸の分野においては、溶剤型肥料・除草剤等を土壌に混入する際、溶剤容器とスコップ類を交互に手にして作業する等の手間があり、薬剤等の飛散や人体への付着や吸い込み防止等にも対策をする必要があり、対策をしてもこれらの弊害を防ぐのに対し十分であるとは言えない。
そこで、この発明は、スコップ等自身に溶剤等の貯留タンク・噴射機能を持たせることでスコップ等刃体表面に溶剤等を塗布することにより、作業対象物の付着による作業性の損失と、刃体にこれらを塗布する時間的損失の双方を最小にし、作業性の向上をもたらす、又は薬剤の土壌への混入作業においても、飛散・吸い込みといった弊害を防止し、人体への付着に対しても抑制効果をもたらすことを課題とする。。
【課題を解決するための手段】
【０００４】  スコップ等の棹部中の空洞部分に噴出装置及び貯留設備を設け、取っ手に設けた噴出作動装置により、適宜棹中に貯留した清水・油脂類・溶剤等を、配管等を介して刃部上端に設けた噴出孔より刃体表面に噴射塗布する
油脂類等をスコップ類の刃部等に噴射塗布するに際し、人力作業でブラシ等を用いて油脂類等を刃部等に塗布すると同様の効果を得るため、噴出孔を耐熱性のゴム板で塞ぎ、油脂類等を噴射する圧力で刃体全部にいきわたらせる効果を得ると同時に、必要でない飛散を防止し、土砂や生コンクリート、アスファルト合材等による噴射孔の詰まりを防止する機能をもたせる。
【発明の効果】
【０００５】  刃体に清水・油脂類・溶剤類を噴射塗布ができるスコップ類の効果は、土木・建築作業においては作業対象物の付着やそれによるスコップ類の損傷を抑えるとともに作業性を向上させる。園芸・農業の分野においては、液体肥料を噴射しつつ土壌を耕す等の作業にも利用できるほか、防虫剤や除草剤等、噴射剤を切り替えることで多様な用途を産むものである。
【図面の簡単な説明】
【０００６】
【図１】スコップ・シャベル・レーキ等棹部に噴射塗布機能を内蔵する概略図である。
【発明を実施するための形態】
【０００７】  棹部空洞内に設けた油脂類貯留タンクから、噴射一回分をチャンバータンクに自然落下で充填する。この動作はスコップ類の取っ手等を利用して回転・伸縮等の動作にて行う。尚、噴出剤の充填は棹部外殻に設けた注入孔より行う
ついで、チャンバータンクに貯めた油脂類を圧縮空気で噴射孔より噴射させる。圧縮空気は油脂類貯蔵タンクと同じく棹部空洞内に設け、スコップ類取っ手に設けた動作弁用作動装置にて行う。尚、空気は棹部外殻に設けた空気注入孔よりコンプレッサー又は空気入れにて行う。
尚、スコップ類のサイズによっては棹部に必要な空洞が取れない。この場合は、圧縮空気タンク・チャンバータンクは設けず、貯留タンクから直接噴射孔に直結し貯留タンクに直接圧力を加えることで油脂類の噴射を行うものとする。
【０００８】「実施形態の効果」
この実施形態によれば、本体の通常の形状については、従来品とほぼ変更は無く、したがって、内蔵機能機器による作業への影響は少ない。また、重量については、本来スコップ類棹部は木製品であるものもあり、軽量金属の筒状のもので製作されたものよりは重量はあるが、木製に比べれば、重量は、溶液等満載時で同等以下に抑えられると考えられる。
「他の実施形態」
図１における形状では、噴射圧を圧縮空気に求めるが、スコップ等の大きさにより噴射圧をピストン等による加圧方式に変更することで、小型のスコップ等においても発明の機能をもたせることが可能である。
【図１】
2011026927.tif 000003
(57)【要約】【課題】アキュームレータ内管は、定格運転時に特性を合わせた管径・長さの内管を用いるか、高能力が必要な運転時に適した管径・長さのものを用いるかを選択しなくてはならず、前者を選べば高能力運転時の能力が不足し、後者を選べば定格運転時の特性が劣るという課題があった。本発明は、前記従来の課題を解決するもので、定格運転時の特性と高能力運転時の特性を両立できる密閉型圧縮機を提供するものである。【解決手段】密閉型圧縮機の外側にアキュームレータ４を設置し、このアキュームレータ４内に管径・長さの異なる２本の内管５を設け、下流側に外部から自在にどちらに冷媒を通過させるかを切替可能な切替弁６を設けることで、定格運転時の性能と高能力運転時の性能を両立する密閉型圧縮機を提供できる。【選択図】図１
2011026990.tif 000002
【特許請求の範囲】
【請求項１】
一つのシリンダを有する圧縮機構とこの圧縮機構を駆動する電動機とを密閉容器内に配設し、前記密閉容器の外側に、冷凍サイクルから戻ってきた冷媒の気液を分離するアキュームレータを設けた密閉型圧縮機であって、管径・長さの異なる２本の内管を設け、外部から自在に前記２本の内管のどちらに冷媒を通過させるかを切替可能な切替弁を下流方向に設け、前記圧縮機構の吸入孔に接続するようにしたアキュームレータを設置することで、定格運転時の性能を確保しながら、高能力運転時の冷凍能力を増加させることを特徴とする密閉型圧縮機。
【発明の詳細な説明】
【技術分野】
【０００１】
本発明は、冷凍機、空調機、乾燥機などに使用される密閉型圧縮機の性能向上に関するものである。
【背景技術】
【０００２】
従来、この種の密閉型圧縮機は、一つのシリンダを有する圧縮機構とこの圧縮機構を駆動する電動機とを密閉容器内に配設し、前記密閉容器の外側に、冷凍サイクルから戻ってきた冷媒の気液を分離するアキュームレータを設け、このアキュームレータは、冷凍サイクルが接続され、冷媒を一時的に受け止めるアキュームレータ本体部、前記圧縮機構部へ導く１本の内管から構成されている（例えば、特許文献１参照）。
【０００３】
図２は、特許文献１に記載された従来の密閉型圧縮機のアキュームレータ部を示すものである。図２に示すように、アキュームレータ本体部８と内管９から構成されている。
【先行技術文献】
【特許文献】
【０００４】
【特許文献１】特開平５−１４１３８０号公報
【発明の概要】
【発明が解決しようとする課題】
【０００５】
しかしながら、前記従来の構成では、内管を１本しか用いることができないため、定格運転時に特性を合わせた管径・長さの内管を用いるか、高能力が必要な運転時に適した管径・長さの内管を用いるかを選択しなくてはならず、前者を選べば高能力運転時の能力が不足し、後者を選べば定格運転時の特性が劣るという課題があった。
【０００６】
本発明は、前記従来の課題を解決するもので、定格運転時の特性と高能力運転時の特性を両立できる密閉型圧縮機を提供するものである。
【課題を解決するための手段】
【０００７】
前記従来の課題を解決するために、アキュームレータに管径・長さの異なる２本の内管を設け、外部から自在に前記２本の内管のどちらに冷媒を通過させるかを切替可能な切替弁を下流方向に設けたものである。
【０００８】
これによって、定格運転時は定格運転時に特性を合わせた内管を選択し、高能力が必要な場合は高能力運転時に特性を合わせた内管を選択することができ、定格運転時の特性と高能力運転時の特性を両立できる密閉型圧縮機が構成できる。
【発明の効果】
【０００９】
本発明の密閉型圧縮機は、性能を向上することができる。
【図面の簡単な説明】
【００１０】
【図１】本発明の実施の形態１における密閉型圧縮機の断面図
【図２】従来のアキュームレータの断面図
【発明を実施するための形態】
【００１１】
第１の発明は、一つのシリンダを有する圧縮機構とこの圧縮機構を駆動する電動機とを密閉容器内に配設し、前記密閉容器の外側に、冷凍サイクルから戻ってきた冷媒の気液を
分離するアキュームレータを設けた密閉型圧縮機であって、管径・長さの異なる２本の内管を設け、外部から自在に前記２本の内管のどちらに冷媒を通過させるかを切替可能な切替弁を下流方向に設け、前記圧縮機構の吸入孔に接続するようにしたアキュームレータを設置することで、定格運転時の性能を確保しながら、高能力運転時の冷凍能力を増加させることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における密閉型圧縮機の断面図である。
【００１４】
図１において、一つのシリンダを有する圧縮機構１とこの圧縮機構を駆動する電動機２とを密閉容器３内に配設し、前記密閉容器３の外側に、冷凍サイクルから戻ってきた冷媒の気液を分離するアキュームレータ４を設けた密閉型圧縮機であって、管径・長さの異なる２本の内管５を設け、外部から自在に前記２本の内管のどちらに冷媒を通過させるかを切替可能な切替弁６を下流方向に設け、前記圧縮機構１の吸入孔７に接続するようにしたアキュームレータ４を設置することで、定格運転時の性能を確保しながら、高能力運転時の冷凍能力を増加させることができる密閉式圧縮機を提供できる。
【産業上の利用可能性】
【００１５】
以上のように、本発明にかかる密閉型圧縮機は、性能を向上出来るためで、ヒートポンプを用いた用途に適用できる。
【符号の説明】
【００１６】
１  圧縮機構
２  電動機
３  密閉容器
４  アキュームレータ
５  内管
６  切替弁
７  吸入孔
８  アキュームレータ本体部
９  内管
【図１】
2011026990.tif 000003
【図２】
2011026990.tif 000004
(57)【要約】【課題】従来の畳縁の色、柄は固定的、静的なものであり、変化させることが出来ない。畳縁を張り替えることなく静止画や動画で色、柄を変化させることが出来るものを提供する。【解決手段】透明で柔軟な畳縁の裏面に電子ペーパー等薄くてフレキシブルなディスプレイを、畳縁表面から見える状態で取り付ける。ディスプレイの画像を変化させる駆動ユニットからの信号を有線もしくは無線により送信する。画像は静止画、異なる静止画の繰り返し、動画のいずれかを選択的に放映出来るようにする。【選択図】図１
2011026932.tif 000002
【特許請求の範囲】
【請求項１】
畳縁に透明で柔軟な素材を用いたもの。
【請求項２】
請求項１の畳縁の裏面に電子ペーパー等薄くてフレキシブルなディスプレイを、畳縁表面から見る事の出来る状態で取り付けたもの。
【請求項３】
操作ボタン、入力手段制御部、外部記憶媒体入力ポート、外部記憶媒体制御部、ＣＰＵ、内部記憶部、ディスプレイ制御部等を備えた一連のディスプレイ駆動ユニットから有線あるいは無線により畳縁内のディスプレイに信号を送り色、柄を変化させるもの。
【発明の詳細な説明】
【技術分野】
【０００１】畳縁に電子ペーパー等薄くて屈曲させることが出来るディスプレイを利用する技術である。
【背景技術】
【０００２】近年、有機ＥＬや電子粉流体を使ったディスプレイ等、薄く屈曲させることが出来、静止画の場合画像保持に消費電力が極めて少ない、いわゆる電子ペーパーが開発された。
【発明の開示】
【発明が解決しようとする課題】
【０００３】従来の畳縁の色、柄は固定的、静的なものであり、変化させることが出来ない。畳縁を張り替えることなく静止画や動画で色、柄を変化させ得るものを提供する。
【課題を解決するための手段】
【０００４】透明で柔軟な畳縁の裏面に電子ペーパー等薄くてフレキシブルなディスプレイを、畳縁表面から見える状態で取り付ける。ディスプレイの画像を変化させる駆動ユニットからの信号を有線もしくは無線により送信する。画像は静止画、異なる静止画の繰り返し、動画のいずれかを選択的に放映出来るようにする。
【発明の効果】
【０００５】畳縁を張り替えることなく色、柄を自在に変化させることが出来るようになる。料亭等で法事の集まりであれば穏やかな柄に、祝いの集まりであれば華やかな柄にあらかじめセットしておくことが可能となる。一般家庭にあっても四季に合った色、柄を選択出来る。また水の流れる画像を動画で放映すれば気分のリフレッシュに大いに貢献する。社員食堂の和室にあっては自社製品のロゴ、キャラクターを放映することも出来る。さらに幼稚園の部屋に置かれた畳の畳縁で楽しいアニメーションを放映すれば幼児教育のツールにもなる。
【発明を実施するための最良の形態】
【０００６】透明な畳縁の裏面に薄くてフレキシブルなディスプレイを畳縁表面から見える状態で取り付け電源と接続する。該ディスプレイの駆動ユニットは外部に設け、有線もしくは無線により信号を発信させる。
【産業上の利用可能性】
【０００７】新型床材。雰囲気演出装置。幼児教育ツール。広告媒体。
【図面の簡単な説明】
【０００８】
【図１】図１は畳縁が貼られた畳の上面図である。１はフレキシブルで薄いディスプレイである。２は透明な畳縁であり１で放映される画像が透過して見える。３は畳床をくるんだ畳表である。
【図２】図２は該畳縁が縫い付けられた畳端部断面の拡大図である。４は薄くてフレキシブルなディスプレイである。５は透明で柔軟な畳縁である。６は畳表である。７及び８は畳糸である。９は畳床である
【図３】図３は当システムのモデル図である。１０は駆動ユニットである。
【図１】
2011026932.tif 000003
【図２】
2011026932.tif 000004
【図３】
2011026932.tif 000005
(57)【要約】      （修正有）【課題】安定性と安全性を高めた梯子、脚立の支持具を効果的、効率効果を図って問題の解決を図ることを可能とした梯子を提供する。【解決手段】梯子本体１の下端部に脚立本体２を止めボルト４を介して取り付けた転倒防止付梯子であって、建物に梯子を立て掛ける際の角度を安全角度約７５度となるように脚立本体２の部材形成を行い、滑り止め手段を備えた安全装置を左右下端部に止めビス３で固定した。【選択図】図３
2011026938.tif 000002
【特許請求の範囲】
【請求項１】
建物に梯子を立て掛ける際の角度を、安全角度の約７５度の部材形成を特徴とした梯子。
【請求項２】
上記のシステムを地面との摩擦抵抗増加の大きさを有効に取り入れた部材を特徴とする梯子。
【請求項３】
上記の左右下端部に、必要に応じて取り付け自在の安定装置を配置又はビス止めでもって危険防止を特徴とした梯子。
【請求項４】
請求項１から４を含み、重要課題の滑り止め手段部材を特徴とした梯子。
【請求項５】
上記においての梯子は、一体固定をされているがボルト、ナットで支持具を形成していることから都度に自在構成を可能とした梯子。
【発明の詳細な説明】
【技術分野】
【０００１】本発明は、梯子、脚立等の使用においての転倒事故防止に関するものである。【０００２】本発明の梯子、脚立は、安全、安心を支持するシステムを提供する。【０００３】本発明は、前方，後方、左右の横倒れ、滑り、揺れ等危険を回避に関するものである。
【背景技術】
【０００４】従来、梯子、脚立使用においての安全確保が弱く、危険が伴っていることからも前述の梯子の倒れ、滑りの防止を提案されてきた。【０００５】しかしながら、従来技術においては、梯子や脚立の先端個所に転倒防止、横揺れ，滑り、揺れ等防止のために、建物にビス止、釘止め金具の使用での接続、ロープ等で巻きつけ対応等を繰り返しているが上端部での部材が足もとに障る事の発生から事故に繋がっているケースがある。【０００６】これらによって梯子、脚立の最上段は建物に密着されるものの、作業時の、梯子、脚立の移動に難点を生じ、さらに事故誘発が懸念される。安全の確保がなされなく問題を残し、大掛りな足場対応になっている。【０００７】上記により、発生の都度に機材に補助材に工夫がなされているものの本体が複雑化している。【０００８】よって、梯子、脚立使用に多くの課題を抱えていることから、下段を支えてもらい作業実施をしている。
【発明の開示】
【発明が解決しようとする課題】
【０００９】上記課題において、本発明は、梯子、脚立使用の際の事故防止を請求項１から５において有効な問題解決を図る。【００１０】本発明は、簡単かつ素早く配置ができることで問題解決を図る。【００１１】従って、本発明において、安全性を高め安全に高所作業の遂行ができうる梯子、脚立を提供することにある。
【課題を解決するための手段】
【００１２】上記の課題解決は、請求項１から５記載の技術的手段として、梯子、脚立の立て掛け角度は、約７５度にすることが望ましい。昇降面において左右方向に転倒しやすいことから下端部に装着固定を設け装着時点で地面との角度約７５度が保持できる一体化を特徴とした構成である。【００１３】本発明は、建物に密着部材のビス、釘止めを不要とした安定作業ができ安全の確保ができ、作業において梯子、脚立を支える軸足部装置を地面に必要不可欠に当接し、請求項１から５からなる範囲を特徴とする。
【発明の効果】
【００１４】本発明による効果は、上記のとうり構成され、建物に金具の打ちつけを不要とし、安定で安全な作業効率が高められ、作業中に梯子、脚立を支える補助者の必要がなくなった。【００１５】このように作業が容易であり、請求項１から５を併用することで、収納、運搬性に優れ効果的に発揮される。【００１６】本発明の特徴は，機材が地面との摩擦抵抗の大きさを有効に取り入れ、危険防止を可能とする。【００１７】本発明は、密着固定の構成特徴とすることで、安全確保ができた。
【発明を実施するための最良の形態】
【００１８】本発明の工夫は、支持具の有効活用にあり、殆ど調整を要すこともなく設置できることでの形成されたものであり、ボルト装着で固定される構成にした。【００１９】上記固定は、必要に応じてさらに機材を地面との摩擦抵抗を増加させる構成を特徴とした。【００２０】立て掛け安全角度の約７５度を保持することから場所の状況に対応することから、機材の下端部に自在調整を可能とした。【００２１】本発明は、市販の梯子、脚立の特性を活用し、密着技術でもって請求項１から５を都度、状況判断対応によるものであって、都度、変化に伴う制限をしないことを特徴とする。
【産業上の利用可能性】
【００２２】梯子、脚立支持具の工夫は数多くあるが、安全に、簡易に改善できることは産業上の無駄がない。【００２３】梯子、脚立は、建築、塗装関連業種を始め幅の広い作業に機能活用されているだけに安定、安全さからの安心を本発明でもって維持される。
【図面の簡単な説明】
【００２４】
【図１】本発明の梯子本体の立面図
【図２】本発明の脚立本体の立面図
【図３】本発明の図１と図２を示す横斜図
【図４】本発明の支持具を示す立面図
【符号の説明】
【００２５】  １、梯子本体
２、脚立本体
３、止めビス、
４、止めボルト
５、金具
６、７５度受け金具
７、装着部
８、固定部
９、軸足部
１０、支持部
【図１】
2011026938.tif 000003
【図２】
2011026938.tif 000004
【図３】
2011026938.tif 000005
【図４】
2011026938.tif 000006